(57)【要約】【課題】適切なつり銭補充量を判定可能な商品販売データ登録処理装置及び商品販売データ登録処理システムを提供する。【解決手段】情報を入出力する入出力部と、記録媒体に画像形成するプリンタと、金銭を入出金し、在高確認指示を受信した場合、金種ごとの在高を送信する入出金装置と、つり銭用の金銭の在高の基準値を格納する基準値ファイルと、入出金装置から受信した在高と基準値ファイルから読み出した基準値とに基づいてつり銭の補充量を算出し、算出した補充量をプリンタに出力する制御部と、を備える。【選択図】図８
2014164605.tif 000002
【特許請求の範囲】
【請求項１】
情報を入出力する入出力部と、
記録媒体に画像形成するプリンタと、
金銭を入出金し、在高確認指示を受信した場合、金種ごとの在高を送信する入出金装置と、
つり銭用の金銭の在高の基準値を格納する基準値ファイルと、
前記入出金装置から受信した在高と前記基準値ファイルから読み出した基準値とに基づいてつり銭の補充量を算出し、算出した前記補充量を前記プリンタに出力する制御部と、
を備える商品販売データ登録処理装置。
【請求項２】
前記入出金装置は、
硬貨を入出金する硬貨入出金装置と、
紙幣を入出金する紙幣入出金装置と、
棒金を格納する棒金入出金装置と、
を備える請求項１記載の商品販売データ登録処理装置。
【請求項３】
前記制御部は、
前記補充量を前記入出力部のオペレータ側入出力装置に出力する請求項２記載の商品販売データ登録処理装置。
【請求項４】
情報を入出力する入出力部と、記録媒体に画像形成するプリンタと、金銭を入出金し、在高確認指示を受信した場合、金種ごとの在高を送信する入出金装置と、つり銭用の金銭の在高の基準値を格納する基準値ファイルと、前記入出金装置から受信した在高と前記基準値ファイルから読み出した基準値とに基づいてつり銭の補充量を算出し、算出した前記補充量を前記プリンタに出力する制御部と、
を備える商品販売データ登録処理装置と、
基準値を複数のパターンによって格納する基準値マスタを備える管理装置と、
を備え、
前記管理装置は、
選択された基準値パターンを前記商品販売データ登録処理装置に送信し、
前記商品販売データ登録処理装置は、
受信した基準値パターンによって前記基準値ファイルを更新する商品販売データ登録処理システム。
【発明の詳細な説明】
【技術分野】
【０００１】
本発明の実施形態は、商品販売データ登録処理装置及び商品販売データ登録処理システムに関する。
【背景技術】
【０００２】
ＰＯＳ端末などの商品販売データ登録処理装置は、通常商品を入力する入出力部と、小計及びつり銭を計算する本体部と、金銭を出し入れするドロワなどの入出金部と、を備える。
【０００３】
この商品販売データ登録処理装置は、商品コード及び数量を入力し、商品マスタから商品コードに対応する単価を読み出し、小計を計算する。そして、商品販売データ登録処理装置は、顧客から預かった預り金を入力すると、つり銭を計算する。
【０００４】
その後、商品販売データ登録処理装置は入出金部からつり銭を出金し、オペレータはこのつり銭を顧客に渡す。
【０００５】
従って、入出金部には予めつり銭用の金銭が格納されている必要がある。
【０００６】
従来の商品販売データ登録処理装置においては、つり銭の準備金を補充する際には、勘と経験に頼って目安となる金額を計算してつり銭を補充していた。
【０００７】
このため、つり銭が多すぎたり少なすぎたりする場合が生じていた。
【先行技術文献】
【特許文献】
【０００８】
【特許文献１】特開２０１１−５３８２４号公報
【発明の概要】
【発明が解決しようとする課題】
【０００９】
従って、適切なつり銭補充量を判定可能な商品販売データ登録処理装置及び商品販売データ登録処理システムが求められている。
【課題を解決するための手段】
【００１０】
上記の課題を解決するために、本発明の一実施形態は、情報を入出力する入出力部と、記録媒体に画像形成するプリンタと、金銭を入出金し、在高確認指示を受信した場合、金種ごとの在高を送信する入出金装置と、つり銭用の金銭の在高の基準値を格納する基準値ファイルと、入出金装置から受信した在高と基準値ファイルから読み出した基準値とに基づいてつり銭の補充量を算出し、算出した補充量をプリンタに出力する制御部と、を備える商品販売データ登録処理装置を提供する。
【図面の簡単な説明】
【００１１】
【図１】商品販売データ登録処理装置の外観斜視図である。
【図２】棒金入出金装置の外観斜視図である。
【図３】紙幣入出金装置の構成を示す平面図である。
【図４】登録処理装置の構成を示すブロック図である。
【図５】商品マスタのデータ構成を示す図である。
【図６】トランザクションファイルのデータ構成を示す図である。
【図７】基準値ファイルのデータ構成を示す図である。
【図８】商品販売データ登録処理装置の動作を示すフローチャートである。
【図９】登録処理装置が印字した補充量一覧の例を示す図である。
【発明を実施するための形態】
【００１２】
以下、商品販売データ登録処理装置及び商品販売データ登録処理システムの一実施形態について、図面を用いて詳細に説明する。
【００１３】
本実施形態の商品販売データ登録処理装置は、情報を入出力する入出力部と、記録媒体に画像形成するプリンタと、金銭を入出金し、在高確認指示を受信した場合、金種ごとの在高を送信する入出金装置と、つり銭用の金銭の在高の基準値を格納する基準値ファイルと、入出金装置から受信した在高と基準値ファイルから読み出した基準値とに基づいてつり銭の補充量を算出し、算出した補充量をプリンタに出力する制御部と、を備える。
【００１４】
図１は、商品販売データ登録処理装置１（以下、登録処理装置１と言う。）の外観斜視図である。図１に示すように、ＰＯＳ（Ｐｏｉｎｔ  ｏｆ  ｓａｌｅｓ）端末などの登録処理装置１は、本体部１０１と、タッチパネル等の入出力装置であるオペレータ側入出力装置１２Ａと、顧客側に向けられるタッチパネル等の入出力装置である客面入出力装置１２Ｂと、プリンタ１２Ｃと、カードリーダ１０２と、キーボード１０３と、硬貨入出金装置１０４と、紙幣入出金装置１０５と、棒金入出金装置１０６と、を備える。
【００１５】
登録処理装置１はさらに、商品のバーコードをスキャンするスキャナを備えていてもよい。
【００１６】
以下、オペレータ側入出力装置１２Ａ及び客面入出力装置１２Ｂを入出力部１２と呼ぶ。
【００１７】
また、以下、硬貨入出金装置１０４、紙幣入出金装置１０５、及び棒金入出金装置１０６を入出金装置という。
【００１８】
硬貨入出金装置１０４は、硬貨ごとの入金枚数を検知する硬貨入金センサと、硬貨ごとの出金枚数を検知する硬貨出金センサと、硬貨装置制御部と、を備える。
【００１９】
硬貨装置制御部は、登録処理装置１の制御部１１から在高問い合わせを受信すると、硬貨入金センサ及び硬貨出金センサによって検知した硬貨ごとの入出金枚数から硬貨の在高を判定し、登録処理装置１の制御部１１に判定した硬貨の在高を硬貨の金種ごとに送信する。
【００２０】
図２は、棒金入出金装置１０６の外観斜視図である。図２に示すように、棒金入出金装置１０６は、棒金装置制御部を備える本体部２１と、硬貨を所定枚数束ねた、いわゆる棒金を格納する棒金格納部２２と、を備える。
【００２１】
棒金格納部２２は、棒金を１個ずつ格納する溝部２３と、溝部に設置され、棒金の有無を検知する棒金センサ２４と、を備える。
【００２２】
棒金装置制御部は、登録処理装置１の制御部１１から在高問い合わせを受信すると、棒金センサ２４によって棒金の在高を検知し、登録処理装置１の制御部１１に検知した棒金の在高を送信する。
【００２３】
図３は、紙幣入出金装置１０５の構成を示す平面図である。図３に示すように、紙幣入出金装置１０５は、紙幣が投入される投入孔３０１と、紙幣を排出する排出孔３０６と、投入された紙幣及び排出する紙幣を搬送する第１の搬送路３０２と、金種ごとに紙幣を蓄積する蓄積部３０５と、投入された紙幣を蓄積部３０５に振り分け、蓄積部３０５から取り出した紙幣を排出部に振り分ける振り分け部３０３と、振り分け部３０３から蓄積部３０５に紙幣を搬送する第２の搬送路３０４と、第１の搬送路３０２に設けられ、紙幣の図柄を読み取る紙幣センサ３１０と、紙幣装置制御部３０７と、を備える。
【００２４】
振り分け部３０３は、回転するプラテンと、搬送路切替機構と、を備える。振り分け部３０３は、紙幣センサ３１０が読み取った紙幣の図柄に基づいて紙幣装置制御部３０７が判定した金種に対応する蓄積部３０５に紙幣の枚数をカウントしながら振り分ける。
【００２５】
また、振り分け部３０３は、蓄積部３０５から取り出した紙幣を排出孔３０６に紙幣の枚数をカウントしながら振り向ける。
【００２６】
紙幣センサ３１０は、ＣＭＯＳセンサ、ラインセンサ等から選ばれる色を識別できるセンサであることが金種を識別する上で望ましい。
【００２７】
紙幣装置制御部３０７は、登録処理装置１の制御部１１から在高問い合わせを受信すると、紙幣センサ３１０によってカウントした紙幣の在高を算出し、登録処理装置１の制御部１１に算出した紙幣の在高を送信する。
【００２８】
図４は、登録処理装置１の構成を示すブロック図である。図４に示すように、登録処理装置１は、演算装置であるＣＰＵ（Ｃｅｎｔｒａｌ  ｐｒｏｃｅｓｓｉｎｇ  ｕｎｉｔ）を含む制御部１１と、情報を入出力する入出力部１２と、記録媒体に画像形成するプリンタ１２Ｃと、情報通信を行う通信部１３と、メモリ、ハードディスクドライブ等の記憶装置を含む記憶部１４と、硬貨入出金装置１０４と、紙幣入出金装置１０５と、棒金入出金装置１０６と、を備える。
【００２９】
記憶部１４は、商品毎に固有に割り当てられる識別子である商品コード毎に単価を格納する商品マスタ１４Ａと、一取引の内容を格納するトランザクションファイル１４Ｂと、つり銭用の金銭の在高の基準値を格納する基準値ファイル１４Ｃと、を格納する。
【００３０】
登録処理装置１は、通信部１３を介してストアコントローラ等の管理装置２と通信してもよい。
【００３１】
管理装置２は、演算装置であるＣＰＵを含む制御部２０１と、情報を入出力する入出力部２０２と、情報通信を行う通信部２０３と、メモリ、ハードディスクドライブ等の記憶装置を含む記憶部２０４と、を備える。
【００３２】
記憶部２０４は、商品毎に固有に割り当てられる識別子である商品コード毎に単価を格納する商品マスタ２０４Ａと、つり銭用の金銭の在高の基準値を格納する基準値マスタ２０４Ｂと、を格納する。
【００３３】
登録処理装置１は、一取引内の商品に対応する商品コードが商品マスタ１４Ａにない場合、管理装置２の商品マスタ２０４Ａから該当するデータを読み出して商品マスタ１４Ａに格納し、一取引の処理を行う。
【００３４】
管理装置２は、商品マスタ２０４Ａに格納されているデータに変更があった場合、該当するデータを登録処理装置１に送信する。登録処理装置１は受信したデータに基づいて商品マスタ１４Ａを更新する。
【００３５】
基準値マスタ２０４Ｂは、基準値を複数のパターン、例えば平日用パターン、及び土日祝祭日用パターンによって格納していてもよい。
【００３６】
この場合、管理装置２は、オペレータによって選択された基準値パターンを、或いは制御部１１によって自動的に選択された基準値のパターンを更新指示とともに登録処理装置１に送信し、登録処理装置１は受信した基準値のパターンによって基準値ファイルを更新する。
【００３７】
図５は、商品マスタ１４Ａのデータ構成を示す図である。図５に示すように、商品マスタ１４Ａは、商品毎に固有に割り当てられる「商品コード」と、商品の名称である「名称」と、商品の１個当たりの価格である「単価」と、商品の販売部門を示す「部門」と、を格納する。
【００３８】
各データの例は、商品コードが「４００００００００１２３４」、名称が「冷凍カルボナーラ」、単価が「３９８」、部門が「５０１０」である。
【００３９】
商品マスタ２０４Ａのデータ構成は商品マスタ１４Ａのデータ構成と同様である。
【００４０】
図６は、トランザクションファイル１４Ｂのデータ構成を示す図である。図６に示すように、トランザクションファイル１４Ｂは、顧客が購入した商品を示す「商品コード」と当該商品の名称である「名称」と、当該商品の１個当たりの価格である「単価」と、顧客が購入した個数である「数量」と、を格納する。
【００４１】
各データの例は、商品コードが「４００００００００１２３４」、名称が「冷凍カルボナーラ」、単価が「３９８」、数量が「２」である。
【００４２】
図７は、基準値ファイル１４Ｃのデータ構成を示す図である。図７に示すように、基準値ファイル１４Ｃは、金銭の種類を示す「金種」と、棒金１本或いは紙幣１束あたりの硬貨乃至紙幣の入数を示す「入数」と、つり銭用の金銭の在高の基準値を示す「基準値」と、プリンタ１２Ｃによって記録媒体に補充すべき金銭の数量を印字する際に記載される単位である「印字用単位」と、を格納する。
【００４３】
各データの例は、金種が「１」、入数が「５０」、基準値が「２」、印字用単位が「本」である。
【００４４】
図８は、登録処理装置１の動作を示すフローチャートである。図８に示すように、ステップ８０１において、登録処理装置１は在高確認キーが押下されたかを判定する。登録処理装置１は在高確認キーが押下されたと判定した場合、ステップ８０２に進み、押下されたと判定しない場合、ステップ８０１に戻る。
【００４５】
ステップ８０２において、登録処理装置１は入出金装置に在高確認指示を送信する。
【００４６】
ステップ８０３において、入出金装置は、金種ごとの在高を登録処理装置１に送信する。
【００４７】
ステップ８０４において、登録処理装置１はつり銭用の金銭の補充量を金種ごとに算出する。
【００４８】
登録処理装置１は補充量を例えば以下の（１）式によって金種ごとに算出する。
【００４９】
補充量（小数点以下切り捨て）＝（（入数×基準値）−在高）／入数  ・・・（１）
例えば、１円硬貨の在高が４５枚である場合、補充量は（１）式により、
（（５０×２）−４５）／５０＝１.１
となるから補充量は１本となる。
【００５０】
ステップ８０５において、登録処理装置１は算出した補充量をオペレータ側入出力装置１２Ａに表示する。
【００５１】
ステップ８０６において、登録処理装置１は印字キーが押下されたかを判定する。登録処理装置１は印字キーが押下されたと判定した場合、ステップ８０７に進み、押下されていないと判定した場合、処理を終了する。
【００５２】
ステップ８０７において、登録処理装置１はプリンタ１２Ｃによって記録媒体に補充量を印字する。
【００５３】
図９は、登録処理装置１が印字した補充量一覧の例を示す図である。図９に示すように、登録処理装置１は、プリンタ１２Ｃによって記録媒体に補充量一覧９０１を印字する。
【００５４】
登録処理装置１は補充量一覧９０１に現在のつり銭の在高を示す釣銭在高９０２と、補充量９０３と、を印字する。
【００５５】
以上述べたように、本実施形態の登録処理装置１は、情報を入出力する入出力部１２と、金銭を入出金し、在高確認指示を受信した場合、金種ごとの在高を送信する入出金装置と、つり銭用の金銭の在高の基準値を格納する基準値ファイル１４Ｃと、入出金装置から受信した在高と基準値ファイル１４Ｃから読み出した基準値とに基づいてつり銭の補充量を算出し、算出した補充量を入出力部１２に出力する制御部１１と、を備える。
【００５６】
従って、適切なつり銭補充量を自動判定することが可能となるという効果がある。
【００５７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１：登録処理装置
２：管理装置
１４Ｃ：基準値ファイル
【図１】
2014164605.tif 000003
【図２】
2014164605.tif 000004
【図３】
2014164605.tif 000005
【図４】
2014164605.tif 000006
【図５】
2014164605.tif 000007
【図６】
2014164605.tif 000008
【図７】
2014164605.tif 000009
【図８】
2014164605.tif 000010
【図９】
2014164605.tif 000011